(57)【要約】【課題】サングラスをかけた状態でも視野角をより広くすることができ、広い角度範囲に好適な画像を表示させることができる液晶表示装置及び電子機器を提供する。【解決手段】第１配向膜及び第２配向膜は、プレチルト角が０度以上１度以下であり、画素電極及び共通電極の少なくとも一方にアスペクト比が１より大きい形状で形成され、短手方向に複数並んだ開口が形成され、開口は、長手方向が画素の短手方向に沿って形成され、第１配向膜及び第２配向膜は、配向軸が開口の長手方向に沿っており、第１偏光板は、吸収軸が配向軸と平行であり、位相差板は、２軸延伸フィルムであり、位相差軸が配向軸と並行であり、第２偏光板は、吸収軸が配向軸と直交し、反射型偏光フィルムは、透過軸が配向軸と平行であり、輝度上昇フィルムは、輝度上昇軸が配向軸と平行である。【選択図】図７
2016051145.tif 000002
【特許請求の範囲】
【請求項１】
第１基板と、前記第１基板に対向配置された第２基板と、前記第１基板と前記第２基板との間に配置される液晶層と、を備える液晶ユニットと、
前記第１基板の前記液晶層とは反対側に積層された第１偏光板と、
前記第２基板の前記液晶層とは反対側に積層された位相差板と、
前記位相差板の前記第２基板とは反対側に積層された第２偏光板と、
前記第２偏光板の前記位相差板とは反対側に積層された反射型偏光フィルムと、
前記反射型偏光フィルムの第２偏光板とは反対側に積層された輝度上昇フィルムと、を有し、
前記第１基板は、画素電極と共通電極とが積層された画素基板と、前記画素基板の前記液晶層側に積層された第１配向膜とを有し、
前記第２基板は、透明基板と、前記透明基板の前記液晶層側に積層された第２配向膜と、を有し、
前記第１配向膜及び前記第２配向膜は、プレチルト角が０度以上１度以下であり、
前記画素電極及び前記共通電極の少なくとも一方にアスペクト比が１より大きい形状で形成され、短手方向に複数並んだ開口が形成され、
前記開口は、長手方向が画素の短手方向に沿って形成され、
前記第１配向膜及び前記第２配向膜は、配向軸が前記開口の長手方向に沿っており、
前記第１偏光板は、吸収軸が前記配向軸と平行であり、
前記位相差板は、２軸延伸フィルムであり、位相差軸が前記配向軸と並行であり、
前記第２偏光板は、吸収軸が前記配向軸と直交し、
前記反射型偏光フィルムは、透過軸が前記配向軸と平行であり、
前記輝度上昇フィルムは、輝度上昇軸が前記配向軸と平行であることを特徴とする液晶表示装置。
【請求項２】
第１基板と、前記第１基板に対向配置された第２基板と、前記第１基板と前記第２基板との間に配置される液晶層と、を備える液晶ユニットと、
前記第１基板の前記液晶層とは反対側に積層された位相差板と、
前記位相差板の前記第１基板とは反対側に積層された第１偏光板と、
前記第２基板の前記液晶層とは反対側に積層された第２偏光板と、
前記第２偏光板の前記位相差板とは反対側に積層された反射型偏光フィルムと、
前記反射型偏光フィルムの第２偏光板とは反対側に積層された輝度上昇フィルムと、を有し、
前記第１基板は、画素電極と共通電極とが積層された画素基板と、前記画素基板の前記液晶層側に積層された第１配向膜とを有し、
前記第２基板は、透明基板と、前記透明基板の前記液晶層側に積層された第２配向膜と、を有し、
前記第１配向膜及び前記第２配向膜は、プレチルト角が０度以上１度以下であり、
前記画素電極及び前記共通電極の少なくとも一方にアスペクト比が１より大きい形状で形成され、短手方向に複数並んだ開口が形成され、
前記開口は、長手方向が画素の長手方向に沿って形成され、
前記第１配向膜及び前記第２配向膜は、配向軸が前記開口の短手方向に沿っており、
前記位相差板は、Ａ＋Ｃプレートであり、位相差軸が前記配向軸と直交であり、
前記第１偏光板は、吸収軸が前記配向軸と直交し、
前記第２偏光板は、吸収軸が前記配向軸と平行であり、
前記反射型偏光フィルムは、透過軸が前記配向軸と直交し、
前記輝度上昇フィルムは、輝度上昇軸が前記配向軸と直交することを特徴とする液晶表示装置。
【請求項３】
前記液晶層は、液晶の屈折率差Δｎが０．０９０以上０．１２以下である請求項１または２に記載の液晶表示装置。
【請求項４】
前記画素基板は、透明基板と、前記透明基板上に積層された走査線と、前記走査線と前記透明基板に積層された窒化シリコンの絶縁膜と、前記絶縁膜上に積層され、前記画素電極と接続された信号線と、を有し、
前記絶縁膜は、厚みが２５００Å以上３５００Å以下である請求項１から３のいずれか一項に記載の液晶表示装置。
【請求項５】
前記画素基板は、透明基板と、前記透明基板上に積層された走査線と、前記走査線と前記透明基板に積層された第１絶縁膜と、前記絶縁膜上に積層され、前記画素電極と接続された信号線と、前記信号線及び前記画素電極上に積層された窒化シリコンの第２絶縁膜と、前記第２絶縁膜に積層された共通電極と、を有し、
前記第２絶縁膜は、厚みが２０００Å以上５０００Å以下である請求項１から３のいずれか一項に記載の液晶表示装置。
【請求項６】
前記画素は、短手方向が水平方向となる請求項１から５のいずれか一項に記載の液晶表示装置。
【請求項７】
請求項１から６のいずれか一項に記載の液晶表示装置と、前記液晶表示装置に積層されたバックライトと、を有し、
前記バックライトは、前記液晶層よりも前記第２基板側に配置されている液晶表示装置を、有する電子機器。
【発明の詳細な説明】
【技術分野】
【０００１】
本開示は、液晶表示装置及びこれを備える電子機器に関する。
【背景技術】
【０００２】
近年、液晶表示装置は、カーナビゲーションの表示装置や、携帯電話や電子ペーパーなどのモバイル機器向けの表示装置の需要が高くなっている。液晶表示装置としては、ＦＦＳ（Ｆｒｉｎｇｅ  Ｆｉｅｌｄ  Ｓｗｉｔｃｈｉｎｇ）型の液晶ディスプレイや、ＩＰＳ（Ｉｎ−Ｐｌａｎｅ  Ｓｗｉｔｃｈｉｎｇ）型の液晶ディスプレイを用いた、いわゆる横電界型の液晶表示装置がある。横電界型の液晶表示装置は、視野角を広くすることができる。表示装置は、視野角が広くなることで、例えばカーナビゲーション装置に用いた場合、運転席、助手席の両方から画面が見やすくなる。
【０００３】
特許文献１には、視野角特性を改善する構造を有する横電界型の液晶表示装置が記載されている。特許文献１は、第１基板と第２基板との間に液晶層が設けられ、第１基板の液晶側の面に第１電極及び第２電極を設け、反対側の面に第１偏光板を設け、第２基板の液晶層とは反対側に位相差板を設けた液晶表示装置が記載されている。さらに、初期配向状態における配向がホモジニアス配向を呈し、第１電極と第２電極との間に生じる電界によって液晶が配向制御され、第１偏光板の透過軸と第２偏光板の透過軸とが略直交しており、位相差板のリタデーションと液晶層のリタデーションとは互いに等しく、位相差板の遅相軸が液晶の初期配向方向と略直交しており、式Ｎｚ＝（ｎｘ−ｎｚ）／（ｎｘ−ｎｙ）で表される位相差板のＮｚ値（ＮｚＲ）と液晶層のＮｚ値（ＮｚＬＣ）との和（ＮｚＲ＋ＮｚＬＣ）が略１とすることが記載されている。なお、式中、ｎｘ、ｎｙ、ｎｚは位相差板の三次元屈折率であり、ｎｘは遅相軸方向の屈折率、ｎｙは板面に平行で遅相軸と直交する方向の屈折率、ｎｚは板厚方向の屈折率である。
【０００４】
特許文献２には、ＭＶＡ型の液晶表示装置として、第１の偏光板、液晶分子が垂直配向しうる液晶層、第２の偏光板が積層され、第１の偏光板と第２の偏光板とに挟まれる面内に位相差のある位相差フィルムが配置された液晶表示装置が記載されている。位相差フィルムは、近接する偏光板の吸収軸にその光軸が垂直になるように設けられ、その屈折率はｎｘ＞ｎｚ≧ｎｙ（ｎｘは光軸方向の屈折率、ｎｙはｎｘに垂直な面内方向の屈折率、ｎｚは面に鉛直な方向の屈折率）の関係となる。
【先行技術文献】
【特許文献】
【０００５】
【特許文献１】特開２００８−８３２２０号公報
【特許文献２】特開２０１０−２４４０８１号公報
【発明の概要】
【発明が解決しようとする課題】
【０００６】
特許文献１に記載の技術で視野角を広くすることができるが、改善の余地がある。また、液晶表示装置を用いた表示装置は、サングラスを着用したユーザが使用する場合もある。ユーザがサングラスを着用した状態では画面に表示する画像が視認しにくいと、画像を見るためにサングラスをはずすことになり、ユーザに負担が生じる。
【０００７】
本開示はかかる問題点に鑑みてなされたもので、その目的は、視野角をより広くすることができ、かつ、サングラスをかけた利用者も画像が視認しやすい画像を表示させることができる液晶表示装置及び電子機器を提供することにある。
【課題を解決するための手段】
【０００８】
本発明の一態様として、液晶表示装置は、第１基板と、前記第１基板に対向配置された第２基板と、前記第１基板と前記第２基板との間に配置される液晶層と、を備える液晶ユニットと、前記第１基板の前記液晶層とは反対側に積層された第１偏光板と、前記第２基板の前記液晶層とは反対側に積層された位相差板と、前記位相差板の前記第２基板とは反対側に積層された第２偏光板と、前記第２偏光板の前記位相差板とは反対側に積層された反射型偏光フィルムと、前記反射型偏光フィルムの第２偏光板とは反対側に積層された輝度上昇フィルムと、を有し、前記第１基板は、画素電極と共通電極とが積層された画素基板と、前記画素基板の前記液晶層側に積層された第１配向膜とを有し、前記第２基板は、透明基板と、前記透明基板の前記液晶層側に積層された第２配向膜と、を有し、前記第１配向膜及び前記第２配向膜は、プレチルト角が０度以上１度以下であり、前記画素電極及び前記共通電極の少なくとも一方にアスペクト比が１より大きい形状で形成され、短手方向に複数並んだ開口が形成され、前記開口は、長手方向が画素の短手方向に沿って形成され、前記第１配向膜及び前記第２配向膜は、配向軸が前記開口の長手方向に沿っており、前記第１偏光板は、吸収軸が前記配向軸と平行であり、前記位相差板は、２軸延伸フィルムであり、位相差軸が前記配向軸と並行であり、前記第２偏光板は、吸収軸が前記配向軸と直交し、前記反射型偏光フィルムは、透過軸が前記配向軸と平行であり、前記輝度上昇フィルムは、輝度上昇軸が前記配向軸と平行である。
【０００９】
本発明の一態様として、液晶表示装置は、第１基板と、前記第１基板に対向配置された第２基板と、前記第１基板と前記第２基板との間に配置される液晶層と、を備える液晶ユニットと、前記第１基板の前記液晶層とは反対側に積層された位相差板と、前記位相差板の前記第１基板とは反対側に積層された第１偏光板と、前記第２基板の前記液晶層とは反対側に積層された第２偏光板と、前記第２偏光板の前記位相差板とは反対側に積層された反射型偏光フィルムと、前記反射型偏光フィルムの第２偏光板とは反対側に積層された輝度上昇フィルムと、を有し、前記第１基板は、画素電極と共通電極とが積層された画素基板と、前記画素基板の前記液晶層側に積層された第１配向膜とを有し、前記第２基板は、透明基板と、前記透明基板の前記液晶層側に積層された第２配向膜と、を有し、前記第１配向膜及び前記第２配向膜は、プレチルト角が０度以上１度以下であり、前記画素電極及び前記共通電極の少なくとも一方にアスペクト比が１より大きい形状で形成され、短手方向に複数並んだ開口が形成され、前記開口は、長手方向が画素の長手方向に沿って形成され、前記第１配向膜及び前記第２配向膜は、配向軸が前記開口の短手方向に沿っており、前記位相差板は、Ａ＋Ｃプレートであり、位相差軸が前記配向軸と直交であり、前記第１偏光板は、吸収軸が前記配向軸と直交し、前記第２偏光板は、吸収軸が前記配向軸と平行であり、前記反射型偏光フィルムは、透過軸が前記配向軸と直交し、前記輝度上昇フィルムは、輝度上昇軸が前記配向軸と直交する。
【００１０】
本発明の一態様として、電子機器は、上記液晶表示装置と、前記液晶表示装置に積層されたバックライトと、を有し、前記バックライトは、前記液晶層よりも前記第２基板側に配置されている液晶表示装置を、有する。
【図面の簡単な説明】
【００１１】
【図１】図１は、本実施形態に係る液晶表示装置の構成の一例を表す説明図である。
【図２】図２は、図１の液晶表示装置のシステム構成例を表すブロック図である。
【図３】図３は、画素を駆動する駆動回路の一例を示す回路図である。
【図４】図４は、液晶表示装置の構成例を示す断面図である。
【図５】図５は、画素基板の１つの副画素を模式的に示す正面図である。
【図６】図６は、画素基板の構成例を示す断面図である。
【図７】図７は、液晶表示装置の光学部材の配置と光学特性を示す説明図である。
【図８】図８は、液晶表示装置のコントラスト比の視野角特性の計測結果を示す説明図である。
【図９】図９は、評価例１の液晶表示装置の光学部材の配置と光学特性を示す説明図である。
【図１０】図１０は、図９に示す液晶表示装置のコントラスト比の視野角特性の計測結果を示す説明図である。
【図１１】図１１は、評価例２の液晶表示装置の光学部材の配置と光学特性を示す説明図である。
【図１２】図１２は、図１１に示す液晶表示装置のコントラスト比の視野角特性の計測結果を示す説明図である。
【図１３】図１３は、他の例の液晶表示装置の光学部材の配置と光学特性を示す説明図である。
【図１４】図１４は、液晶表示装置の構成例を示す断面図である。
【図１５】図１５は、画素基板の１つの副画素を模式的に示す正面図である。
【図１６】図１６は、画素基板の構成例を示す断面図である。
【図１７】図１７は、液晶表示装置のコントラスト比の視野角特性の計測結果を示す説明図である。
【図１８】図１８は、評価例３の液晶表示装置の光学部材の配置と光学特性を示す説明図である。
【図１９】図１９は、図１８に示す液晶表示装置のコントラスト比の視野角特性の計測結果を示す説明図である。
【図２０】図２０は、評価例４の液晶表示装置の光学部材の配置と光学特性を示す説明図である。
【図２１】図２１は、図２０に示す液晶表示装置のコントラスト比の視野角特性の計測結果を示す説明図である。
【図２２Ａ】図２２Ａは、評価例５の液晶表示装置のコントラスト比の視野角特性の計測結果を示す説明図である。
【図２２Ｂ】図２２Ｂは、評価例５の液晶表示装置の黒色の視野角特性の計測結果を示す説明図である。
【図２３Ａ】図２３Ａは、評価例６の液晶表示装置のコントラスト比の視野角特性の計測結果を示す説明図である。
【図２３Ｂ】図２３Ｂは、評価例６の液晶表示装置の黒色の視野角特性の計測結果を示す説明図である。
【図２４Ａ】図２４Ａは、評価例７の液晶表示装置のコントラスト比の視野角特性の計測結果を示す説明図である。
【図２４Ｂ】図２４Ｂは、評価例７の液晶表示装置の黒色の視野角特性の計測結果を示す説明図である。
【図２５Ａ】図２５Ａは、評価例８の液晶表示装置のコントラスト比の視野角特性の計測結果を示す説明図である。
【図２５Ｂ】図２５Ｂは、評価例８の液晶表示装置の黒色の視野角特性の計測結果を示す説明図である。
【図２６Ａ】図２６Ａは、比較例の液晶表示装置のコントラスト比の視野角特性の計測結果を示す説明図である。
【図２６Ｂ】図２６Ｂは、比較例の液晶表示装置の黒色の視野角特性の計測結果を示す説明図である。
【図２７】図２７は、画素基板の他の構成例を示す断面図である。
【図２８】図２８は、本実施形態に係る液晶表示装置を適用する電子機器の一例を示す図である。
【発明を実施するための形態】
【００１２】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
図１は、本実施形態に係る液晶表示装置の構成の一例を表す説明図である。図２は、図１の液晶表示装置のシステム構成例を表すブロック図である。図１は模式的に表したものであり、実際の寸法、形状と同一とは限らない。なお、表示装置１が本開示の「液晶表示装置」の一具体例に相当する。
【００１４】
表示装置１は、透過型、又は半透過型の表示装置であり、液晶表示装置２と、ドライバＩＣ３と、バックライト６と、を備えている。表示装置１は、バックライト６を備えない、反射型の表示装置であってもよい。図示しないフレキシブルプリント基板（ＦＰＣ（Flexible  Printed  Circuits））は、ドライバＩＣ３への外部信号又はドライバＩＣ３を駆動する駆動電力を伝送する。
【００１５】
ここで、本実施形態の表示装置１は、液晶表示装置２とバックライト６とが積層される方向（厚み方向）をＺ方向とし、Ｚ方向に直交する面において液晶表示装置２の長手方向をＸ方向、Ｘ方向及びＺ方向に直交する方向（液晶表示装置２の短手方向）をＹ方向とする。表示装置１は、Ｙ方向が水平方向に沿った方向となる。具体的には、Ｙ方向が水平方向とのなす角が、９０度となる。
【００１６】
液晶表示装置２は、透明絶縁基板、例えばガラス基板１１と、ガラス基板１１の表面にあり、液晶セルを含む画素がマトリクス状（行列状）に多数配置されてなる表示エリア部２１と、水平ドライバ（水平駆動回路）２３と、垂直ドライバ（垂直駆動回路）２２Ａ、２２Ｂと、を備えている。垂直ドライバ（垂直駆動回路）２２Ａ、２２Ｂは、第１垂直ドライバ２２Ａ、第２垂直ドライバ２２Ｂとして、表示エリア部２１を挟むように配置されている。ガラス基板１１は、能動素子（例えば、トランジスタ）を含む多数の画素回路がマトリクス状に配置形成される第１基板と、この第１の基板と所定の間隙をもって対向して配置される第２基板とを含む。そして、ガラス基板１１は、第１基板、第２基板の間に液晶が封入される液晶層を有する。
【００１７】
液晶表示装置２の額縁１１ｇｒ、１１ｇｌは、ガラス基板１１の表面にあり、液晶セルを含む画素がマトリクス状（行列状）に多数配置されてなる表示エリア部２１がない、非表示領域である。垂直ドライバ２２Ａ、２２Ｂは、額縁１１ｇｒ、１１ｇｌに配置されている。
【００１８】
バックライト６は、液晶表示装置２の裏面側（画像を表示する面とは反対側の面）に配置されている。バックライト６は、液晶表示装置２に向けて光を照射し、表示エリア部２１の全面に光を入射させる。バックライト６は、例えば光源と、光源から出力された光を導いて、液晶表示装置２の裏面に向けて出射させる導光版と、を含む。
【００１９】
（表示装置のシステム構成例）
液晶表示装置２は、ガラス基板１１上に、表示エリア部２１と、インターフェース（Ｉ／Ｆ）及びタイミングジェネレータの機能を備えるドライバＩＣ３と、第１垂直ドライバ２２Ａ、第２垂直ドライバ２２Ｂ及び水平ドライバ２３とを備えている。
【００２０】
表示エリア部２１は、液晶層を含む画素Ｖｐｉｘが、表示上の１画素を構成するユニットがｍ行×ｎ列に配置されたマトリクス（行列状）構造を有している。なお、この明細書において、行とは、一方向に配列されるｎ個の画素Ｖｐｉｘを有する画素行をいう。また、列とは、行が配列される方向と直交する方向に配列されるｍ個の画素Ｖｐｉｘを有する画素列をいう。そして、ｍとｎとの値は、垂直方向の表示解像度と水平方向の表示解像度に応じて定まる。表示エリア部２１は、画素Ｖｐｉｘのｍ行ｎ列の配列に対して行毎に走査線２４１、２４２、２４３・・・２４ｍが配線され、列毎に信号線２５１、２５２、２５３・・・２５ｎが配線されている。以後、本実施形態においては、走査線２４１、２４２、２４３・・・２４ｍを代表して走査線２４又は走査線２４ｍのように表記し、信号線２５１、２５２、２５３・・・２５ｎを代表して信号線２５又は信号線２５ｎのように表記することがある。また、本実施形態においては、走査線２４１、２４２、２４３・・・２４ｍを代表して走査線２４ｍ＋１、２４ｍ＋２、２４ｍ＋３・・・のように表記し、信号線２５１、２５２、２５３・・・２５ｎを代表して信号線２５ｎ＋１、２５ｎ＋２、２５ｎ＋３・・・のように表記することもある。表示エリア部２１は、正面に直交する方向から見た場合、走査線２４と信号線２５がカラーフィルタのブラックマトリクスと重なる領域に配置されている。また、表示エリア部２１は、ブラックマトリクスが配置されていない領域が開口部となる。
【００２１】
液晶表示装置２には、外部から外部信号である、マスタークロック、水平同期信号及び垂直同期信号が入力され、ドライバＩＣ３に与えられる。ドライバＩＣ３は、外部電源の電圧振幅のマスタークロック、水平同期信号及び垂直同期信号を、液晶の駆動に必要な内部電源の電圧振幅にレベル変換（昇圧）し、マスタークロック、水平同期信号及び垂直同期信号を生成する。ドライバＩＣ３は、生成したマスタークロック、水平同期信号及び垂直同期信号をそれぞれ第１垂直ドライバ２２Ａ、第２垂直ドライバ２２Ｂ及び水平ドライバ２３に与える。ドライバＩＣ３は、画素Ｖｐｉｘ毎の画素電極に対して各画素共通に与えるコモン電位（対向電極電位）Ｖｃｏｍを生成して表示エリア部２１に与える。
【００２２】
第１垂直ドライバ２２Ａ、第２垂直ドライバ２２Ｂは、後述するシフトレジスタを含み、さらにラッチ回路等を含む。第１垂直ドライバ２２Ａ、第２垂直ドライバ２２Ｂは、ラッチ回路が、垂直クロックパルスに同期してドライバＩＣ３から出力される表示データを１水平期間で順次サンプリングしラッチする。第１垂直ドライバ２２Ａ、第２垂直ドライバ２２Ｂは、ラッチ回路においてラッチされた１ライン分のデジタルデータを垂直走査パルスとして順に出力し、表示エリア部２１の走査線２４ｍ＋１、２４ｍ＋２、２４ｍ＋３・・・に与えることによって画素Ｖｐｉｘを行単位で順次選択する。第１垂直ドライバ２２Ａ、第２垂直ドライバ２２Ｂは、走査線２４ｍ＋１、２４ｍ＋２、２４ｍ＋３・・・の延在方向に走査線２４ｍ＋１、２４ｍ＋２、２４ｍ＋３・・・を挟むように配置されている。第１垂直ドライバ２２Ａ、第２垂直ドライバ２２Ｂは、例えば、走査線２４ｍ＋１、２４ｍ＋２、２４ｍ＋３・・・の表示エリア部２１の上寄り、垂直走査上方向から、表示エリア部２１の下寄り、垂直走査下方向へ順にデジタルデータを出力する。また、第１垂直ドライバ２２Ａ、第２垂直ドライバ２２Ｂは、走査線２４ｍ＋１、２４ｍ＋２、２４ｍ＋３・・・の表示エリア部２１の下寄り、垂直走査下方向から、表示エリア部２１の上寄り、垂直走査上方向へ順にデジタルデータを出力することもできる。
【００２３】
水平ドライバ２３には、例えば６ビットのＲ（赤）、Ｇ（緑）、Ｂ（青）のデジタル映像データＶｓｉｇが与えられる。水平ドライバ２３は、第１垂直ドライバ２２Ａ、第２垂直ドライバ２２Ｂによる垂直走査によって選択された行の各画素Ｖｐｉｘに対して、画素毎に、もしくは複数画素毎に、あるいは全画素一斉に、信号線２５を介して表示データを書き込む。
【００２４】
（液晶表示装置の駆動方式）
図３は、画素を駆動する駆動回路の一例を示す回路図である。表示エリア部２１には、図３に示す各画素Ｖｐｉｘの薄膜トランジスタ（ＴＦＴ；Thin  Film  Transistor）Ｔｒに表示データとして画素信号を供給する信号線２５ｎ＋１、２５ｎ＋２、２５ｎ＋３、各薄膜トランジスタＴｒを駆動する走査線２４ｍ＋１、２４ｍ＋２、２４ｍ＋３等の配線が形成されている。このように、信号線２５ｎ＋１、２５ｎ＋２、２５ｎ＋３は、上述したガラス基板１１の表面と平行な平面に延在し、画素Ｖｐｉｘに画像を表示するための画素信号を供給する。画素Ｖｐｉｘは、薄膜トランジスタＴｒ及び液晶素子ＬＣを備えている。薄膜トランジスタＴｒは、この例では、ｎチャネルのＭＯＳ（Metal  Oxide  Semiconductor）型のＴＦＴで構成されている。薄膜トランジスタＴｒのソース及びドレインのうち一方は信号線２５ｎ＋１、２５ｎ＋２、２５ｎ＋３に接続され、ゲートは走査線２４ｍ＋１、２４ｍ＋２、２４ｍ＋３に接続され、ソース及びドレインのうち他方は液晶素子ＬＣの一端に接続されている。液晶素子ＬＣは、一端が薄膜トランジスタＴｒに接続され、他端が共通電極ＣＯＭＬのコモン電位Ｖｃｏｍに接続されている。
【００２５】
画素Ｖｐｉｘは、走査線２４ｍ＋１、２４ｍ＋２、２４ｍ＋３により、表示エリア部２１の同じ行に属する他の画素Ｖｐｉｘと互いに接続されている。走査線２４ｍ＋１、２４ｍ＋２、２４ｍ＋３のうち奇数の走査線２４ｍ＋１、２４ｍ＋３は、第１垂直ドライバ２２Ａと接続され、第１垂直ドライバ２２Ａから後述する走査信号の垂直走査パルスＶｇａｔｅが供給される。走査線２４ｍ＋１、２４ｍ＋２、２４ｍ＋３のうち偶数の走査線２４ｍ＋２、２４ｍ＋４は、第２垂直ドライバ２２Ｂと接続され、第２垂直ドライバ２２Ｂから、後述する走査信号の垂直走査パルスＶｇａｔｅが供給される。このように、第１垂直ドライバ２２Ａ、第２垂直ドライバ２２Ｂは、走査方向の走査線２４ｍ＋１、２４ｍ＋２、２４ｍ＋３に交互に垂直走査パルスＶｇａｔｅを印加する。また、画素Ｖｐｉｘは、信号線２５ｎ＋１、２５ｎ＋２、２５ｎ＋３により、表示エリア部２１の同じ列に属する他の画素Ｖｐｉｘと互いに接続されている。信号線２５ｎ＋１、２５ｎ＋２、２５ｎ＋３は、水平ドライバ２３と接続され、水平ドライバ２３より画素信号が供給される。共通電極ＣＯＭＬのコモン電位Ｖｃｏｍは、不図示の駆動電極ドライバと接続され、駆動電極ドライバより電圧が供給される。さらに、画素Ｖｐｉｘは、共通電極ＣＯＭＬのコモン電位Ｖｃｏｍにより、表示エリア部２１の同じ列に属する他の画素Ｖｐｉｘと互いに接続されている。
【００２６】
図１及び図２に示す第１垂直ドライバ２２Ａ、第２垂直ドライバ２２Ｂは、垂直走査パルスＶｇａｔｅを、図３に示す走査線２４ｍ＋１、２４ｍ＋２、２４ｍ＋３を介して、画素Ｖｐｉｘの薄膜トランジスタＴｒのゲートに印加することにより、表示エリア部２１にマトリクス状に形成されている画素Ｖｐｉｘのうちの１行（１水平ライン）を表示駆動の対象として順次選択する。図１及び図２に示す水平ドライバ２３は、画素信号を、図３に示す信号線２５ｎ＋１、２５ｎ＋２、２５ｎ＋３を介して、第１垂直ドライバ２２Ａ、第２垂直ドライバ２２Ｂにより順次選択される１水平ラインを含む各画素Ｖｐｉｘにそれぞれ供給する。そして、これらの画素Ｖｐｉｘでは、供給される画素信号に応じて、１水平ラインの表示が行われるようになっている。
【００２７】
上述したように、表示装置１は、第１垂直ドライバ２２Ａ、第２垂直ドライバ２２Ｂが走査線２４ｍ＋１、２４ｍ＋２、２４ｍ＋３を順次走査するように駆動することにより、１水平ラインが順次選択される。また、表示装置１は、１水平ラインに属する画素Ｖｐｉｘに対して、水平ドライバ２３が画素信号を供給することにより、１水平ラインずつ表示が行われる。この表示動作を行う際、駆動電極ドライバは、その１水平ラインに対応する共通電極ＣＯＭＬのコモン電位Ｖｃｏｍを印加するようになっている。
【００２８】
表示装置１は、液晶素子ＬＣに同極性の直流電圧が印加され続けることによって液晶の比抵抗（物質固有の抵抗値）等が劣化する可能性がある。表示装置１は、液晶の比抵抗（物質固有の抵抗値）等の劣化を防ぐため、駆動信号のコモン電位Ｖｃｏｍを基準として映像信号の極性を所定の周期で反転させる駆動方式が採られる。
【００２９】
この液晶表示装置の駆動方式として、カラム反転、ライン反転、ドット反転、フレーム反転などの駆動方式が知られている。カラム反転は、１カラム（１画素列）に相当する１Ｖ（Ｖは垂直期間）の時間周期で映像信号の極性を反転させる駆動方式である。ライン反転は、１ライン（１画素行）に相当する１Ｈ（Ｈは水平期間）の時間周期で映像信号の極性を反転させる駆動方式である。ドット反転は、互いに隣接する上下左右の画素毎に映像信号の極性を交互に反転させる駆動方式である。フレーム反転は、１画面に相当する１フレーム毎に全画素に書き込む映像信号を一度に同じ極性で反転させる駆動方式である。表示装置１は、上記の各駆動方式のいずれを採用することも可能である。
【００３０】
次に、表示エリア部２１の構成を詳細に説明する。図４は、液晶表示装置の構成例を示す断面図である。液晶表示装置２は、図４に示すように、液晶ユニット１０１と、第１偏光板（上偏光板）１０２と、位相差板１０４と、第２偏光板（下位相差板）１０６と、反射型偏光性フィルム（Dual  Brightness  Enhancement  Film）１０８と、輝度上昇フィルム（Brightness  Enhancement  Film）１０９と、を有する。液晶表示装置２は、バックライト６側から、輝度上昇フィルム１０９、反射型偏光性フィルム１０８、第２偏光板１０６、位相差板１０４、液晶ユニット１０１、第１偏光板１０２の順で積層されている。
【００３１】
液晶ユニット１０１は、第１基板（上側基板）５０と、この第１基板５０の表面に垂直な方向に対向して配置された第２基板（下側基板）５２と、第１基板５０と第２基板５２との間に挿設された液晶層５４とを備えている。なお、液晶表示装置２は、第１基板５０の液晶層５４とは反対側の面に、バックライト６が配置されている。
【００３２】
液晶層５４は、電界の状態に応じてそこを通過する光を変調するものであり、ＦＦＳ（フリンジフィールドスイッチング）又はＩＰＳ（インプレーンスイッチング）等の横電界モードの液晶５９を用いた液晶表示デバイスが用いられる。液晶５９は、液晶層５４に多数分散されている。本実施形態の液晶５９は、長軸方向の屈折率をｎｚとし、短軸方向の屈折率をｎｘ、ｎｙとすると、屈折率差Δｎ（ｄｎ）は、ｎｚ−ｎｘまたはｎｚ−ｎｙとなる。なお、長軸方向の屈折率ｎｚは、異常光屈折率（液晶分子長軸方向に平行な屈折率）ｎｅであり、短軸方向の屈折率をｎｘ、ｎｙは、常光屈折率（液晶分子長軸方向に垂直な屈折率）ｎｏである。したがって、屈折率差Δｎは、ｎｅ−ｎｏと表すこともできる。
【００３３】
第１基板５０は、画素基板６０と、画素基板６０の液晶層５４側に積層された第１配向膜６２と、を有する。画素基板６０については後述する。第１配向膜６２は、液晶層５４内の液晶分子を所定の方向に配向させるものであり、液晶層５４と直接に接している。第１配向膜６２は、例えば、ポリイミドなどの高分子材料からなり、例えば、塗布したポリイミド等に対してラビング処理を施すことにより形成されたものである。第１配向膜６２は、液晶５９をプレチルト角θ１で配向させる。ここでプレチルト角θ１とは、表示面に平行な面とのなす角である。つまり、プレチルト角θ１が０度の場合、液晶５９は、長軸が表示面と平行な向きに配向される。プレチルト角θ１が９０度の場合、液晶５９は、長軸が表示面に対して垂直な向きに配向される。
【００３４】
第２基板５２は、ガラス基板６４と、このガラス基板６４の液晶層５４側に形成されたカラーフィルタ６６と、カラーフィルタ６６の液晶層５４側に形成された第２配向膜６７と、を含む。カラーフィルタ６６は、例えば、赤（Ｒ）、緑（Ｇ）、青（Ｂ）の３色に着色された色領域を含む。カラーフィルタ６６は、開口部に例えば赤（Ｒ）、緑（Ｇ）、青（Ｂ）の３色に着色された色領域を周期的に配列して、図３に示す各画素ＶｐｉｘにＲ、Ｇ、Ｂの３色の色領域が１組として画素Ｐｉｘとして対応付けられている。カラーフィルタ６６は、画素基板６０と垂直な方向において、液晶層５４と対向する。なお、カラーフィルタ６６は、異なる色に着色されていれば、他の色の組み合わせであってもよい。一般に、カラーフィルタ６６は、緑（Ｇ）の色領域の輝度が、赤（Ｒ）の色領域及び青（Ｂ）の色領域の輝度よりも高い。なお、カラーフィルタ６６は、ブラックマトリクスが図３に示す画素Ｖｐｉｘの外周を覆うように形成されていてもよい。このブラックマトリクス７６ａは、二次元配置された画素Ｖｐｉｘと画素Ｖｐｉｘとの境界に配置されることで、格子形状となる。そして、ブラックマトリクス７６ａは、光の吸収率が高い材料で形成される。
【００３５】
第２配向膜６７は、第１配向膜６２と同様に、液晶層５４内の液晶分子を所定の方向に配向させるものであり、液晶層５４と直接に接している。第２配向膜６７は、例えば、ポリイミドなどの高分子材料からなり、例えば、塗布したポリイミド等に対してラビング処理を施すことにより形成されたものである。第２配向膜６７は、液晶５９をプレチルト角θ２で配向させる。ここでプレチルト角θ２とは、表示面に平行な面とのなす角である。つまり、プレチルト角θ２が０度の場合、液晶５９は、長軸が表示面と平行な向きに配向される。プレチルト角θ２が９０度の場合、液晶５９は、長軸が表示面に対して垂直な向きに配向される。プレチルト角θ２は、プレチルト角θ１と同じ方向に傾いている。つまり、第２配向膜６７は、第１配向膜６２と同じ方向に液晶５９を傾ける向きにラビング処理が施されている。
【００３６】
次に、図５及び図６を用いて、画素基板６０について説明する。図５は、画素基板の１つの副画素を模式的に示す正面図である。図６は、画素基板の構成例を示す断面図である。図６は、図５のＡ−Ａ線断面図である。図５に示すように、画素基板６０の画素Ｖｐｉｘは、Ｙ方向が長手となり、Ｘ方向が短手となる。つまり画素Ｖｐｉｘは、表面において水平方向の長さが、水平方向に直交する方向の長さよりも短くなる。
【００３７】
画素基板６０は、透明基板７１に各種回路が形成されたＴＦＴ基板と、このＴＦＴ基板上にマトリクス状に配設された複数の画素電極７２と、ＴＦＴ基板及び画素電極７２の上に積層された共通電極ＣＯＭＬと、画素電極７２と共通電極ＣＯＭＬとを絶縁する絶縁層７４と、を含む。画素電極７２及び共通電極ＣＯＭＬは、ＩＴＯ（Indium  Tin  Oxide）等の透明導電材料（透明導電酸化物）で形成される透明電極である。画素基板６０は、図６に示すように、透明基板７１上に走査線２４、絶縁膜７４ａ、信号線２５及び半導体層９０、絶縁膜７４ｂ、画素電極７２、絶縁膜７４ｃ、共通電極ＣＯＭＬの順で積層されている。
【００３８】
ＴＦＴ基板は、透明基板７１に、上述した各画素Ｖｐｉｘの薄膜トランジスタが形成された半導体層９０、各画素電極７２に画素信号を供給する信号線２５、薄膜トランジスタを駆動する走査線２４等の配線が絶縁層７４を介して積層されている。
【００３９】
走査線２４は、半導体層９０の一部と立体交差して、スイッチング素子Ｔｒのゲート２４ａとして作用する。走査線２４と半導体層９０の一部とが立体交差した箇所は１カ所であり、スイッチング素子Ｔｒは、ｎチャネルであるチャネル領域ｃｈを備えるシングルゲートトランジスタである。スイッチング素子Ｔｒは、ダブルゲートトランジスタであってもよく、スイッチング機能を有していれば、どのような機能素子（スイッチング素子）でもよい。半導体層９０は、例えば、アモルファスシリコンで形成されている。信号線２５は、透光基板７１の表面と平行な平面に延在し、画素に画像を表示するための画素信号を供給する。半導体層９０は、一部が信号線２５と接続するソース２５ａと接し、他の一部が信号線２５と同一の層に形成されたドレイン２５ｂと電気的に接続している。ドレイン２５ｂは、スルーホール９２において、画素電極７２と電気的に接続している。走査線２４は、モリブデン（Ｍｏ）、アルミニウム（Ａｌ）等の金属の配線であり、信号線２５は、アルミニウム等の金属の配線である。
【００４０】
画素基板６０は、各画素Ｖｐｉｘに対応して共通電極ＣＯＭＬに複数のスリット状の開口７３が形成されている。開口７３は、アスペクト比が１より大きい細長い形状である。開口７３は、画素の短手方向に沿った方向（Ｘ方向）が長手方向となる向き、つまり、画素の短手方向が延在方向となる向きで形成されている。このように液晶表示装置２は、開口７３が横スリットとなる。ここで、本実施形態において、開口７３の長手方向が画素の短手方向に沿っているとは、２つの方向のなす角が４５度未満であることを示す。共通電極ＣＯＭＬは、複数の開口７３が画素の長手方向に並んでいる。つまり、開口７３は、画素の長手方向に並列に配置されている。開口７３は、延在方向がラビング処理の方向に対して所定角α傾斜している。αは種々の条件により異なるが、好ましくは３度以上１５度以下が好ましい。液晶表示装置２は、共通電極ＣＯＭＬと画素電極７２との間に形成される電界のうち、共通電極ＣＯＭＬの開口からもれた電界（フリンジ電界）で液晶５９を駆動させる。
【００４１】
絶縁層７４は、走査線２４と半導体層９０との間の絶縁膜（第１絶縁膜）７４ａと、信号線２５と画素電極７２との間の絶縁膜（第２絶縁膜）７４ｂと、画素電極７２と共通電極ＣＯＭＬとの間の絶縁膜（第３絶縁膜）７４ｃと、が積層されている。より具体的には、絶縁膜７４ａは、各部が透明基板７１または走査線２４と接する位置（層）に積層されている。絶縁膜７４ｂは、各部が信号線２５、半導体層９０または絶縁膜７４ａの表面に接する位置（層）に積層されている。絶縁膜７４ｃは、各部が画素電極７２または絶縁膜７４ｂの表面に接する位置（層）に積層されている。本実施形態の絶縁膜７４ａは、ＳｉＮｘ（窒化シリコン）で形成されている。また、絶縁膜７４ｂは、ポリイミド樹脂などの有機系絶縁材料で形成されている。また、絶縁膜７４ｃは、ＳｉＮｘ（窒化シリコン）、ＳｉＯ２等の無機系絶縁材料で形成されている。なお、絶縁膜７４ａ、７４ｂ、７４ｃの各層を形成する材料はこれに限定されない。また、絶縁膜７４ａ、７４ｂ、７４ｃは、同じ絶縁材料であってもよく、いずれかが異なる絶縁材料であってもよい。
【００４２】
本実施形態の液晶表示装置２は、第１配向膜６２及び第２配向膜６７のプレチルト角が０度以上１度以下となる。つまり、液晶表示装置２は、０°≦θ１≦１°、かつ、０°≦θ２≦１°となる。液晶表示装置２は、プレチルト角を上記範囲とすることで、広い視野角でコントラスト比を高く維持することができる。つまり、画像が認識できる範囲を広くすることができ、液晶表示装置２の視野角を広くすることができる。また、黒が黒として見える視野角の範囲を広くすることができる。
【００４３】
さらに、液晶表示装置２は、液晶層５４の液晶５９の屈折率差Δｎが０．０９０以上０．１２以下とすることが好ましい。液晶表示装置２は、液晶５９の屈折率差を上記範囲とすることでコントラスト比を高く維持することができる。つまり、画像が認識できる範囲を広くすることができ、液晶表示装置２の視野角を広くすることができる。また、黒が黒として見える視野角の範囲をより広くすることができる。
【００４４】
また、液晶表示装置２は、絶縁膜７４ａの厚みを２５００Å以上３５００Å以下とすることが好ましい。液晶表示装置２は、絶縁膜７４ａの厚みを上記範囲とすることでコントラスト比を高く維持することができる。つまり、画像が認識できる範囲を広くすることができ、液晶表示装置２の視野角を広くすることができる。また、黒が黒として見える視野角の範囲をより広くすることができる。
【００４５】
次に、図４に戻り各部の説明を続ける。第１偏光板（上偏光板）１０２は、ガラス基板６４の液晶層５４側とは反対側に形成されている。第１偏光板１０２は、偏光板吸収軸と平行な直線偏光成分を吸収し、直交する偏光成分を透過する。第１偏光板１０２は、液晶のＯＮ／ＯＦＦ状態に依存して光を透過／遮断する機能を有している。
【００４６】
位相差板１０４は、画素基板６０の液晶層５４とは反対側に積層されている。位相差板１０４は、第１偏光板１０２及び第２偏光板１０６に生じる偏光板起因の視野角を補償する、いわゆる視野角補償フィルムである。本実施形態の位相差板１０４は、二軸延伸樹脂フィルムである。つまり、位相差板１０４は、光学的二軸性を有する。位相差板１０４は、例えば、トリアセチルセルロース、ポリカーボネート、ポリノルボルネン等の延伸フィルムに対して二軸延伸処理を行うことで作成することができる。位相差板１０４は、０以上１未満のＮｚ係数を有しており、好ましくは０以上０．５以下のＮｚ係数を有している。ここで、Ｎｚ係数とは、位相差板１０４の面内の主屈折率をｎｘ，ｎｙ（ただしｎｘ≧ｎｙ）とし、厚さ方向の屈折率をｎｚとしたときに、（ｎｘ−ｎｚ）／（ｎｘ−ｎｙ）という式で求められる係数である。Ｎｚ係数が０以上０．５以下となっている場合には、補償効果が特に高くなる。位相差板１０４は、例えば、高分子フィルムを二軸延伸することにより得られる。位相差板１０４は、単一のフィルムで構成されていることが好ましい。
【００４７】
第２偏光板（下位相差板）１０６は、位相差板１０４の画素基板６０とは反対側に形成されている。第２偏光板１０６は、所定の方向の直線偏光成分を吸収し、それと直交する方向の偏光成分を透過する機能を有している。第２偏光板１０６は、バックライト６側から入射してきた光を直線偏光に変換する。
【００４８】
反射型偏光性フィルム１０８は、第２偏光板１０６の位相差板１０４とは反対側に形成されている。反射型偏光性フィルム１０８は、第２偏光板１０６に吸収される光の成分（ｓ波）を、第２偏光板１０６を透過する光の成分（ｐ波）に偏光する。反射型偏光性フィルム１０８を透過し、第２偏光板１０６に入射する光は、反射型偏光性フィルム１０８を通過することで、第２偏光板１０６を透過する光が増加する。これにより、反射型偏光性フィルム１０８は、表示装置１から出力される光の量を増加し、輝度を上昇させることができる。
【００４９】
輝度上昇フィルム１０９は、反射型偏光フィルム１０８の第２偏光板１０６とは反対側に配置されている。輝度上昇フィルム１０９は、入射した光を反射型偏光フィルム１０８に向けて散乱させることで、表示装置と対面する領域により多くの光を出力させる。
【００５０】
次に、図７を用いて、液晶表示装置２の光学特性について説明する。図７は、液晶表示装置の光学部材の配置と光学特性を示す説明図である。図７に示すように、液晶ユニット１０１は、第１配向膜６２及び第２配向膜６７の配向軸１１１がＸ方向に延在する。つまり、配向軸１１１は、共通電極ＣＯＭＬの開口７３の長手方向が沿っている方向と同じ方向となり、なす角が４５度未満となる。
【００５１】
また、図７に示すように、第１偏光板１０２は、吸収軸１１２がＸ方向に延在する。つまり、吸収軸１１２は、配向軸１１１と平行となる。位相差板１０４は、位相差軸１１４がＸ方向に延在する。つまり、位相差軸１１４は、配向軸１１１と平行となる。ここで、位相差軸１１４は、位相差板１０４の主軸である。第２偏光板１０６は、吸収軸１１６がＹ方向に延在する。つまり、吸収軸１１６は、配向軸１１１と直交する。このように、液晶表示装置２は、液晶ユニット１０１と第２偏光板１０６との関係がＥモードとなる。ここで、Ｅモード（ｅｘｔｒｏｒｄｉｎａｒｙ  ｍｏｄｅ）とは、偏光板の吸収軸の方向が液晶の長軸（液晶のラビング方向）つまり配向軸の方向と直交する方向となるモードである。つまり、Ｅモードは、偏光板の透過軸の方向が液晶の長軸（液晶のラビング方向）つまり配向軸の方向と平行となる方向で液晶層と偏光板とが配置されているモードである。反射型偏光性フィルム１０８は、透過軸１１８がＸ方向に延在する。つまり、透過軸１１８は、配向軸１１１と平行となる。輝度上昇フィルム１０９は、ＢＥ軸１１９がＸ方向に延在する。つまり、ＢＥ軸１１９は、配向軸１１１と平行となる。ここで、ＢＥ軸１１９とは、集光方向である。
【００５２】
液晶表示装置２は、各部の各軸を図７に示す関係を満たすように配置することで、視野角を広く、特にＹ方向の視野角を広くすることができ、サングラスでも好適に画像を認識できる状態とすることができる。
【００５３】
（計測例）
上述した構造の液晶表示装置を作製し、コントラスト比の視野角特性を計測した。コントラスト比の視野角特性は、周囲に外光が無い（外光による表面反射が無い）場合の、全画面黒表示の黒レベルの輝度と、全画面白表示の白レベルの輝度の比を測定した結果である。図８は、液晶表示装置のコントラスト比の視野角特性の計測結果を示す説明図である。図８に示すように、表示装置１は、視野角が広くなっている。
【００５４】
次に、評価のために、位相差板を同じ二軸位相差板とし、他の光学部材を変更した評価例１、評価例２の構造及び視野角特性について説明する。
【００５５】
図９及び図１０を用いて、評価例１の液晶表示装置について説明する。図９は、評価例１の液晶表示装置の光学部材の配置と光学特性を示す説明図である。図１０は、図９に示す液晶表示装置のコントラスト比の視野角特性の計測結果を示す説明図である。図９に示す液晶表示装置２００は、液晶ユニット２０１と、第１偏光板２０２と、位相差板２０４と、第２偏光板２０６と、反射型偏光性フィルム２０８と、輝度上昇フィルム２０９と、を有する。液晶表示装置２００は、バックライト６側から、輝度上昇フィルム２０９、反射型偏光性フィルム２０８、第２偏光板２０６、液晶ユニット２０１、位相差板２０４、第１偏光板２０２の順で積層されている。
【００５６】
液晶ユニット２０１は、各画素に対応して共通電極に複数のスリット状の開口が形成されている。開口は、アスペクト比が１より大きい細長い形状である。開口は、画素の短手方向に沿った方向が短手方向となる向き、つまり、画素の長手方向（Ｙ方向）が延在方向となる向きで形成されている。このように液晶表示装置２００は、共通電極の開口が縦スリットとなる。なお、縦スリットの液晶ユニットの構造については、後述する。
【００５７】
液晶ユニット２０１は、第１配向膜及び第２配向膜の配向軸２１１がＹ方向に延在する。つまり、配向軸２１１は、共通電極の開口の長手方向が沿っている方向と同じ方向となり、なす角が４５度未満となる。第１偏光板２０２は、吸収軸２１２がＸ方向に延在する。つまり、吸収軸２１２は、配向軸２１１と直交する。位相差板２０４は、位相差軸２１４がＹ方向に延在する。つまり、位相差軸２１４は、配向軸２１１と平行となる。第２偏光板２０６は、吸収軸２１６がＹ方向に延在する。つまり、吸収軸２１６は、配向軸２１１と平行となる。このように、液晶表示装置２００は、液晶ユニット２０１と第２偏光板２０６との関係がＯモードとなる。ここで、Ｏモード（ｏｒｄｉｎａｒｙ  ｍｏｄｅ）とは、偏光板の吸収軸の方向が液晶の長軸（液晶のラビング方向）つまり配向軸の方向と平行となる方向となるモードである。つまり、Ｏモードは、偏光板の透過軸の方向が液晶の長軸（液晶のラビング方向）つまり配向軸の方向と直交する方向で液晶層と偏光板とが配置されているモードである。反射型偏光性フィルム２０８は、透過軸２１８がＸ方向に延在する。つまり、透過軸２１８は、配向軸２１１と直交する。輝度上昇フィルム２０９は、ＢＥ軸２１９がＸ方向に延在する。つまり、ＢＥ軸２１９は、配向軸２１１と直交する。
【００５８】
評価例１では、図９に示す液晶表示装置２００を作製し、コントラスト比の視野角特性を計測した。図１０に示すように、液晶表示装置２００は、液晶表示装置２よりも視野角が狭くなっている。
【００５９】
図１１及び図１２を用いて、評価例２の液晶表示装置について説明する。図１１は、評価例２の液晶表示装置の光学部材の配置と光学特性を示す説明図である。図１２は、図１１に示す液晶表示装置のコントラスト比の視野角特性の計測結果を示す説明図である。図１１に示す液晶表示装置２３０は、液晶ユニット２３１と、第１偏光板２３２と、１／４波長板２３３と、位相差板２３４と、第２偏光板２３６と、反射型偏光性フィルム２３８と、輝度上昇フィルム２３９と、を有する。液晶表示装置２３０は、バックライト６側から、輝度上昇フィルム２３９、反射型偏光性フィルム２３８、第２偏光板２３６、位相差板２３４、液晶ユニット２３１、第１偏光板２３２、１／４波長板２３３の順で積層されている。
【００６０】
液晶ユニット２３１は、液晶ユニット２０１と同様に共通電極の開口が縦スリットとなる。液晶ユニット２３１は、第１配向膜及び第２配向膜の配向軸２４１がＹ方向に延在する。つまり、配向軸２４１は、共通電極の開口の長手方向が沿っている方向と同じ方向となり、なす角が４５度未満となる。１／４波長板２３３は、延伸軸２４３が、Ｘ方向及びＹ方向に対して４５度傾いた方向となる。第１偏光板２３２は、吸収軸２４２がＹ方向に延在する。つまり、吸収軸２４２は、配向軸２４１と平行となる。位相差板２３４は、位相差軸２４４がＹ方向に延在する。つまり、位相差軸２４４は、配向軸２４１と平行となる。第２偏光板２３６は、吸収軸２４６がＸ方向に延在する。つまり、吸収軸２４６は、配向軸２４１と直交する。このように、液晶表示装置２３０は、液晶ユニット２３１と第２偏光板２３６との関係がＥモードとなる。反射型偏光性フィルム２３８は、透過軸２４８がＹ方向に延在する。つまり、透過軸２４８は、配向軸２４１と平行となる。輝度上昇フィルム２３９は、ＢＥ軸２４９がＸ方向に延在する。つまり、ＢＥ軸２４９は、配向軸２４１と直交する。
【００６１】
評価例２では、図１１に示す液晶表示装置２３０を作製し、コントラスト比の視野角特性を計測した。図１２に示すように、液晶表示装置２３０は、液晶表示装置２よりも視野角が狭くなっている。また、液晶表示装置２３０は、サングラスをかけた状態でもユーザが画面を視認できるようにするために１／４波長板２３３を設けることになり、層の数が多くなり、厚みが増加する。
【００６２】
以上のように、液晶表示装置２は、サングラスをかけた状態でも確認できる画像を広い視野角で表示させることができる。これにより、車両搭載用、例えばカーナビゲーション装置に用いる表示装置として好適に用いることができる。
【００６３】
ここで、上記実施形態では、位相差板を二軸延伸フィルムとしたがこれに限定されない。液晶表示装置は、位相差板にＡ＋Ｃプレートを用いてもよい。
【００６４】
図１３は、他の例の液晶表示装置の光学部材の配置と光学特性を示す説明図である。図１４は、液晶表示装置の構成例を示す断面図である。図１５は、画素基板の１つの副画素を模式的に示す正面図である。図１６は、画素基板の構成例を示す断面図である。図１７は、液晶表示装置のコントラスト比の視野角特性の計測結果を示す説明図である。図１６は、図１５のＢ−Ｂ線断面図である。図１３から図１７に示す液晶表示装置１００ａは、一部の構成が液晶表示装置２と同様である。以下、液晶表示装置２と同様の構成については、説明を省略し、液晶表示装置１００ａに特有の点を説明する。
【００６５】
図１３及び図１４に示す液晶表示装置１００ａは、液晶パネルユニット１０１ａと、第１偏光板１０２ａと、位相差板１０４ａと、第２偏光板１０６ａと、反射型偏光性フィルム１０８ａと、輝度上昇フィルム１０９ａと、を有する。液晶表示装置１００ａは、バックライト６側から、輝度上昇フィルム１０９ａ、反射型偏光性フィルム１０８ａ、第２偏光板１０６ａ、液晶ユニット１０１ａ、位相差板１０４ａ、第１偏光板１０２ａの順で積層されている。
【００６６】
液晶ユニット１０１ａは、第１基板（上側基板）５０ａと、この第１基板５０ａの表面に垂直な方向に対向して配置された第２基板（下側基板）５２ａと、第１基板５０ａと第２基板５２ａとの間に挿設された液晶層５４ａとを備えている。なお、液晶表示装置１００ａは、第１基板５０ａの液晶層５４ａとは反対側の面に、バックライト６が配置されている。液晶表示ユニット１０１ａは、配向方向と開口の向きを除いて基本的な構成は、液晶ユニット１０１と同様である。
【００６７】
第１基板５０ａは、画素基板１６０と、画素基板１６０の液晶層５４ａ側に積層された第１配向膜１６２と、を有する。第１配向膜１６２は、液晶層５４ａ内の液晶分子を所定の方向に配向させるものであり、液晶層５４ａと直接に接している。第２基板５２ａは、ガラス基板１６４と、このガラス基板１６４の液晶層５４ａ側に形成されたカラーフィルタ１６６と、カラーフィルタ１６６の液晶層５４ａ側に形成された第２配向膜１６７と、を含む。第１配向膜１６２、第２配向膜１６４のプレチルト角の範囲、液晶素子の特性等は上述した液晶ユニット１０１と同様である。
【００６８】
次に、画素基板１６０の画素は、Ｙ方向が長手となり、Ｘ方向が短手となる。つまり画素Ｖｐｉｘは、表面において水平方向の長さが、水平方向に直交する方向の長さよりも短くなる。画素基板１６０は、透明基板１７１に各種回路が形成されたＴＦＴ基板と、このＴＦＴ基板上にマトリクス状に配設された複数の画素電極１７２と、ＴＦＴ基板及び画素電極１７２の上に積層された共通電極ＣＯＭＬと、画素電極１７２と共通電極ＣＯＭＬとを絶縁する絶縁層１７４と、を含む。画素基板１６０は、図１５及び図１６に示すように、透明基板１７１上に走査線１２４、絶縁膜１７４ａ、信号線１２５及び半導体層１９０、絶縁膜１７４ｂ、画素電極１７２、絶縁膜１７４ｃ、共通電極ＣＯＭＬの順で積層されている。走査線１２４は、半導体層１９０の一部と立体交差して、スイッチング素子Ｔｒのゲート１２４ａとして作用する。信号線１２５は、透光基板１７１の表面と平行な平面に延在し、画素に画像を表示するための画素信号を供給する。半導体層１９０は、一部が信号線１２５と接続するソース１２５ａと接し、他の一部が信号線１２５と同一の層に形成されたドレイン１２５ｂと電気的に接続している。ドレイン１２５ｂは、スルーホール１９２において、画素電極１７２と電気的に接続している。
【００６９】
本実施形態の画素電極１７２は、信号線１２４の延在方向（Ｙ方向）に延在する。画素電極１７２は、Ｙ方向の中央付近で屈曲点を有し、屈曲点を基点として、Ｙ方向に対して異なる方向に傾斜した形状となる。画素基板１６０は、各画素に対応して共通電極ＣＯＭＬに複数のスリット状の開口１７３が形成されている。開口１７３は、アスペクト比が１より大きい細長い形状である。開口１７３は、画素の長手方向に沿った方向（Ｙ方向）が長手方向となる向き、つまり、画素（画素電極１７２）の長手方向が延在方向となる向きで形成されている。開口１７３は、画素電極１７２と同様にＹ方向の中央付近で屈曲点を有し、屈曲点を基点として、Ｙ方向に対して異なる方向に傾斜した形状となる。液晶表示装置１００ａは、開口１７３が縦スリットとなる。共通電極ＣＯＭＬは、複数の開口１７３が画素の短手方向に並んでいる。つまり、開口１７３は、画素の短手方向に並列に配置されている。液晶表示装置２は、共通電極ＣＯＭＬと画素電極７２との間に形成される電界のうち、共通電極ＣＯＭＬの開口１７３からもれた電界（フリンジ電界）で液晶５９を駆動させる。
【００７０】
位相差板１０４ａは、Ａ＋Ｃプレートとなる。具体的には、位相差板１０４ａは、ｘ軸方向の屈折率をｎｘ、ｙ軸方向の屈折率をｎｙ、ｚ軸方向の屈折率をｎｚとすると、Ｙ軸方向の屈折率ｎｙに対してＺ軸方向の屈折率ｎｚの値が高くなる。また、位相差板１０４ａは、ｘ軸方向の屈折率ｎｘに対してｙ軸方向の屈折率ｎｙが低くなる。つまり位相差板１０４ａは、ポジティブＡプレート（Positive  A-plate）とポジティブＣプレート（Positive  C-plate）の機能を合わせ持ち、ｎｘ＞ｎｚ＞ｎｙとなる。
【００７１】
次に、図１３に戻り各部の光学特性について説明する。液晶ユニット１０１ａは、第１配向膜１６２及び第２配向膜１６７の配向軸１１１ａがＹ方向に延在する。つまり、配向軸１１１ａは、共通電極ＣＯＭＬの開口１７３の長手方向が沿っている方向と同じ方向となり、なす角が４５度未満となる。
【００７２】
次に第１偏光板１０２ａは、吸収軸１１２ａがＸ方向に延在する。つまり、吸収軸１１２ａは、配向軸１１１ａと直交となる。位相差板１０４ａは、位相差軸１１４ａがＸ方向に延在する。つまり、位相差軸１１４ａは、配向軸１１１ａと直交となる。第２偏光板１０６ａは、吸収軸１１６ａがＹ方向に延在する。つまり、吸収軸１１６ａは、配向軸１１１ａと平行となる。このように、液晶表示装置１００ａは、液晶ユニット１０１ａと第２偏光板１０６ａとの関係がＯモードとなる。反射型偏光性フィルム１０８ａは、透過軸１１８ａがＸ方向に延在する。つまり、透過軸１１８ａは、配向軸１１１ａと直交する。輝度上昇フィルム１０９ａは、ＢＥ軸１１９ａがＸ方向に延在する。つまり、ＢＥ軸１１９ａは、配向軸１１１ａと直交する。
【００７３】
液晶表示装置１０１ａは、各部の各軸を図１３に示す関係を満たすように配置することで、視野角を広く、特にＹ方向の視野角を広くすることができ、サングラスでも好適に画像を認識できる状態とすることができる。
【００７４】
（計測例）
上述した構造の液晶表示装置を作製し、コントラスト比の視野角特性を計測した。図１７に示すように、液晶表示装置１０１ａを用いた場合も視野角が広くなっている。
【００７５】
次に、評価のために、位相差板を同じＡ＋Ｃプレートとし、他の光学部材を変更した評価例３、評価例４の構造及び視野角特性について説明する。
【００７６】
図１８及び図１９を用いて、評価例３の液晶表示装置について説明する。図１８は、評価例３の液晶表示装置の光学部材の配置と光学特性を示す説明図である。図１９は、図１８に示す液晶表示装置のコントラスト比の視野角特性の計測結果を示す説明図である。図１８に示す液晶表示装置２５０は、液晶ユニット２５１と、第１偏光板２５２と、位相差板２５４と、第２偏光板２５６と、反射型偏光性フィルム２５８と、輝度上昇フィルム２５９と、を有する。液晶表示装置２５０は、バックライト６側から、輝度上昇フィルム２５９、反射型偏光性フィルム２５８、第２偏光板２５６、位相差板２５４、液晶ユニット２５１、第１偏光板２５２の順で積層されている。
【００７７】
液晶ユニット２５１は、共通電極の開口が横スリットとなる。液晶ユニット２５１は、第１配向膜及び第２配向膜の配向軸２６１がＸ方向に延在する。つまり、配向軸２６１は、共通電極の開口の長手方向が沿っている方向と同じ方向となり、なす角が４５度未満となる。第１偏光板２５２は、吸収軸２６２がＸ方向に延在する。つまり、吸収軸２６２は、配向軸２６１と平行となる。位相差板２５４は、位相差軸２６４がＹ方向に延在する。つまり、位相差軸２６４は、配向軸２６１と直交となる。第２偏光板２５６は、吸収軸２６６がＹ方向に延在する。つまり、吸収軸２６６は、配向軸２６１と直交する。このように、液晶表示装置２５０は、液晶ユニット２５１と第２偏光板２５６との関係がＥモードとなる。反射型偏光性フィルム２５８は、透過軸２６８がＸ方向に延在する。つまり、透過軸２６８は、配向軸２６１と平行となる。輝度上昇フィルム２５９は、ＢＥ軸２６９がＸ方向に延在する。つまり、ＢＥ軸２６９は、配向軸２６１と平行となる。
【００７８】
評価例３では、図１８に示す液晶表示装置２５０を作製し、コントラスト比の視野角特性を計測した。図１９に示すように、液晶表示装置２５０は、液晶表示装置１００ａよりも視野角が狭くなっている。
【００７９】
図２０及び図２１を用いて、評価例４の液晶表示装置について説明する。図２０は、評価例４の液晶表示装置の光学部材の配置と光学特性を示す説明図である。図２１は、図２０に示す液晶表示装置のコントラスト比の視野角特性の計測結果を示す説明図である。図２０に示す液晶表示装置２７０は、液晶ユニット２７１と、第１偏光板２７２と、１／４波長板２７３と、位相差板２７４と、第２偏光板２７６と、反射型偏光性フィルム２７８と、輝度上昇フィルム２７９と、を有する。液晶表示装置２７０は、バックライト６側から、輝度上昇フィルム２７９、反射型偏光性フィルム２７８、第２偏光板２７６、液晶ユニット２７１、位相差板２７４、第１偏光板２７２、１／４波長板２７３の順で積層されている。
【００８０】
液晶ユニット２７１は、液晶ユニット２５１と同様に共通電極の開口が横スリットとなる。液晶ユニット２７１は、第１配向膜及び第２配向膜の配向軸２８１がＸ方向に延在する。つまり、配向軸２８１は、共通電極の開口の長手方向が沿っている方向と同じ方向となり、なす角が４５度未満となる。１／４波長板２７３は、延伸軸２８３が、Ｘ方向及びＹ方向に対して４５度傾いた方向となる。第１偏光板２７２は、吸収軸２８２がＹ方向に延在する。つまり、吸収軸２８２は、配向軸２８１と直交となる。位相差板２７４は、位相差軸２８４がＹ方向に延在する。つまり、位相差軸２８４は、配向軸２８１と直交となる。第２偏光板２７６は、吸収軸２８６がＸ方向に延在する。つまり、吸収軸２８６は、配向軸２８１と平行する。このように、液晶表示装置２７０は、液晶ユニット２７１と第２偏光板２７６との関係がＯモードとなる。反射型偏光性フィルム２７８は、透過軸２８８がＹ方向に延在する。つまり、透過軸２８８は、配向軸２８１と直交する。輝度上昇フィルム２７９は、ＢＥ軸２８９がＸ方向に延在する。つまり、ＢＥ軸２８９は、配向軸２８１と平行となる。
【００８１】
評価例４では、図２０に示す液晶表示装置２７０を作製し、コントラスト比の視野角特性を計測した。図２１に示すように、液晶表示装置２７０は、液晶表示装置２よりも視野角が狭くなっている。また、液晶表示装置２７０は、サングラスをかけた状態でもユーザが画面を視認できるようにするために１／４波長板２７３を設けることになり、層の数が多くなり、厚みが増加する。
【００８２】
以上のように、液晶表示装置２７０は、サングラスをかけた状態でも確認できる画像を広い視野角で表示させることができる。これにより、車両搭載用、例えばカーナビゲーション装置に用いる表示装置として好適に用いることができる。
【００８３】
（評価例）
さらに、本評価例では、本実施形態の液晶表示装置２の作用効果を検討するため、評価例５から評価例８と比較例の液晶表示装置を作製し、コントラスト比の視野角特性と黒色の視野角特性を計測した。黒色の視野角特性は、全画面黒表示した場合に各位置（視野角位置）で見える色の計測結果である。評価例５から８は、液晶ユニットの各部の構成を変更している。
【００８４】
評価例５は、第１配向膜６２及び第２配向膜６７のプレチルト角を０°とし、第１偏光板６３及び第２偏光板６９をＥモードとし、液晶層５４の液晶５９の屈折率差Δｎを０．１０とし、絶縁膜７４ａの厚みを３０００Åとした。図２２Ａ及び図２２Ｂに、評価例５の液晶表示装置のコントラスト比の視野角特性と黒色の視野角特性の計測結果を示す。
【００８５】
図２２Ａは、評価例５の液晶表示装置のコントラスト比の視野角特性の計測結果を示す説明図である。図２２Ｂは、評価例５の液晶表示装置の黒色の視野角特性の計測結果を示す説明図である。図２２Ａでは、コントラスト比が１００対１となる視野角位置を黒線で示す。また、図２２Ｂは、黒で見える部分を黒で示しており、色が淡くなっていくにつれて輝度が高くなり、黒以外の色で見えたことを示している。計測結果の表示方法は、他の評価例及び比較例でも同様である。図２２Ａに示すように、評価例５の液晶表示装置２は、コントラスト比が１０対１となる境界が、測定範囲の端部近傍となっていることがわかる。また、図２２Ｂに示すように、広い範囲で黒の画像を黒の画像として視認できることがわかる。
【００８６】
次に、評価例６は、第１配向膜６２及び第２配向膜６７のプレチルト角を０°とし、第１偏光板６３及び第２偏光板６９をＥモードとし、液晶層５４の液晶５９の屈折率差Δｎを０．１０とし、絶縁膜７４ａの厚みを４０００Åとした。つまり、評価例６は、評価例５から絶縁膜７４ａの厚みを変化させている。具体的には、絶縁膜７４ａの厚みを厚くし、好ましい範囲に含まれない構成とした。図２３Ａ及び図２３Ｂに、評価例６の液晶表示装置のコントラスト比の視野角特性と黒色の視野角特性の計測結果を示す。
【００８７】
図２３Ａは、評価例６の液晶表示装置のコントラスト比の視野角特性の計測結果を示す説明図である。図２３Ｂは、評価例６の液晶表示装置の黒色の視野角特性の計測結果を示す説明図である。図２２Ａと図２３Ａとの比較から、評価例６の液晶表示装置２は、評価例５の液晶表示装置２に比べると、コントラスト比が１００対１となる境界が視野角の中心側に移動していることがわかる。つまり、コントラスト比が１００対１以上となる領域が狭くなっている、つまり、視野角が狭くなっていることがわかる。また、図２２Ｂと図２３Ｂとの比較から、評価例６の液晶表示装置２は、評価例５の液晶表示装置２に比べると、黒で見える範囲が狭くなっていることがわかる。また、評価例６の液晶表示装置２は、評価例５の液晶表示装置２に比べると黒が赤くなって見える領域が増加した。以上より、評価例５の液晶表示装置２の方が評価例６の液晶表示装置２よりも視野角を広くすることができ、かつ好適な画像を表示できることがわかる。
【００８８】
次に、評価例７は、第１配向膜６２及び第２配向膜６７のプレチルト角を０°とし、第１偏光板６３及び第２偏光板６９をＥモードとし、液晶層５４の液晶５９の屈折率差Δｎを０．１２とし、絶縁膜７４ａの厚みを４０００Åとした。つまり、評価例７は、評価例６から液晶層５４の液晶５９の屈折率差Δｎを変化させている。具体的には、屈折率差Δｎを大きくし、好ましい範囲に含まれない構成とした。図２４Ａ及び図２４Ｂに、評価例７の液晶表示装置のコントラスト比の視野角特性と黒色の視野角特性の計測結果を示す。
【００８９】
図２４Ａは、評価例７の液晶表示装置のコントラスト比の視野角特性の計測結果を示す説明図である。図２４Ｂは、評価例７の液晶表示装置の黒色の視野角特性の計測結果を示す説明図である。図２３Ａと図２４Ａとの比較から、評価例７の液晶表示装置２は、コントラスト比が１０対１となる境界が、評価例６の液晶表示装置２と略同じとなった。また、図２３Ｂと図２４Ｂとの比較から、評価例７の液晶表示装置２は、評価例６の液晶表示装置２に比べると、黒で見える範囲が若干狭くなっていることがわかる。また、評価例７の液晶表示装置２は、評価例６の液晶表示装置２に比べると黒が赤くなって見える領域が増加した。以上より、評価例６の液晶表示装置２の方が評価例７の液晶表示装置２よりも視野角を広くすることができ、かつ好適な画像を表示できることがわかる。
【００９０】
次に、評価例８は、第１配向膜６２及び第２配向膜６７のプレチルト角を０°とし、第１偏光板６３及び第２偏光板６９をＯモードとし、液晶層５４の液晶５９の屈折率差Δｎを０．１２とし、絶縁膜７４ａの厚みを４０００Åとした。つまり、評価例８は、評価例７から第１偏光板６３及び第２偏光板６９のモードを変化させている。具体的には、第１偏光板６３及び第２偏光板６９をＯモードとした。図２５Ａ及び図２５Ｂに、評価例８の液晶表示装置のコントラスト比の視野角特性と黒色の視野角特性の計測結果を示す。
【００９１】
図２５Ａは、評価例８の液晶表示装置のコントラスト比の視野角特性の計測結果を示す説明図である。図２５Ｂは、評価例８の液晶表示装置の黒色の視野角特性の計測結果を示す説明図である。図２４Ａと図２５Ａとの比較から、評価例８の液晶表示装置２は、評価例７の液晶表示装置２に比べると、コントラスト比が１００対１となる境界が視野角の中心側に移動していることがわかる。つまり、コントラスト比が１００対１以上となる領域が狭くなっている、つまり、視野角が狭くなっていることがわかる。また、図２４Ｂと図２５Ｂとの比較から、評価例８の液晶表示装置２は、評価例７の液晶表示装置２に比べると、黒で見える範囲が狭くなっていることがわかる。また、評価例８の液晶表示装置２は、評価例７の液晶表示装置２に比べると黒が赤くなって見える領域が増加した。以上より、評価例７の液晶表示装置２の方が評価例８の液晶表示装置２よりも視野角を広くすることができ、かつ好適な画像を表示できることがわかる。
【００９２】
次に、比較例は、第１配向膜６２及び第２配向膜６７のプレチルト角を１．７°とし、第１偏光板６３及び第２偏光板６９をＯモードとし、液晶層５４の液晶５９の屈折率差Δｎを０．１２とし、絶縁膜７４ａの厚みを４０００Åとした。つまり、比較例は、評価例８から第１偏光板６３及び第２偏光板６９のプレチルト角を変化させている。具体的には、第１偏光板６３及び第２偏光板６９のプレチルト角を大きくして、好ましいモードと異なる構成とした。図２６Ａ及び図２６Ｂに、比較例の液晶表示装置のコントラスト比の視野角特性と黒色の視野角特性の計測結果を示す。
【００９３】
図２６Ａは、比較例の液晶表示装置のコントラスト比の視野角特性の計測結果を示す説明図である。図２６Ｂは、比較例の液晶表示装置の黒色の視野角特性の計測結果を示す説明図である。図２５Ａと図２６Ａとの比較から、比較例の液晶表示装置２は、評価例８の液晶表示装置２に比べると、コントラスト比が１００対１となる境界が大きく視野角の中心側に移動していることがわかる。つまり、コントラスト比が１００対１以上となる領域が狭くなっている、つまり、視野角が狭くなっていることがわかる。また、図２５Ｂと図２６Ｂとの比較から、比較例の液晶表示装置２は、評価例８の液晶表示装置２に比べると、黒で見える範囲が狭くなっていることがわかる。また、比較例の液晶表示装置２は、評価例８の液晶表示装置２に比べると黒が赤くなって見える領域が増加し、さらに黄色に見える領域も生じた。以上より、評価例８の液晶表示装置２の方が比較例の液晶表示装置２よりも視野角を広くすることができ、かつ好適な画像を表示できることがわかる。以上より本実施形態の効果は明らかである。
【００９４】
（本実施形態の変形例）
ここで、画素基板の積層構造は、上記実施形態に限定されない。画素基板は、いわゆる横電界型の液晶表示装置、好ましくは、フリンジ電界を用いるＦＳＳ型の液晶表示装置として駆動される画素基板であればよい。図２７は、画素基板の他の構成例を示す断面図である。図２７に示す画素基板３６０は、積層構造が異なるのみで、各部の機能は、画素基板６０と同様である。図２７に示す画素基板３６０は、透明基板３７１に各種回路が形成されたＴＦＴ基板と、このＴＦＴ基板上にマトリクス状に配設された複数の画素電極３７２と、ＴＦＴ基板及び画素電極３７２の上に積層された共通電極ＣＯＭＬと、画素電極３７２と共通電極ＣＯＭＬとを絶縁する絶縁層３７４と、を含む。
【００９５】
ＴＦＴ基板は、透明基板３７１に、上述した各画素Ｖｐｉｘの薄膜トランジスタが形成された半導体層３９０、各画素電極３７２に画素信号を供給する信号線３２５、薄膜トランジスタを駆動する走査線３２４等の配線が絶縁層３７４を介して積層されている。信号線３２５は、ソース線３２５ａとドレイン線３２５ｂとを含む。
【００９６】
絶縁層３７４は、走査線３２４と半導体層３９０との間の絶縁膜（第１絶縁膜）３７４ａと、信号線３２５及び画素電極３７２と共通電極ＣＯＭＬとの間の絶縁膜（第２絶縁膜）３７４ｂと、が積層されている。より具体的には、絶縁膜３７４ａは、各部が透明基板３７１または走査線３２４と接する位置（層）に積層されている。絶縁膜３７４ｂは、各部が信号線３２５、半導体層３９０、画素電極３７２または絶縁膜３７４ａの表面に接する位置（層）に積層されている。本実施形態の絶縁膜３７４ａは、ＳｉＮｘ（窒化シリコン）、ＳｉＯ２等の無機系絶縁材料で形成されている。絶縁膜３７４ａは、ＳｉＮｘ（窒化シリコン）で形成されている。また、絶縁膜３７４ａは、ポリイミド樹脂などの有機系絶縁材料で形成してもよい。
【００９７】
このように、変形例の画素基板３６０は、透明基板３７１上に走査線３２４、絶縁膜３７４ａ、（信号線３２５、半導体３９０及び画素電極３７２）、絶縁膜３７４ｂ、共通電極ＣＯＭＬの順で積層されている。
【００９８】
また、液晶表示装置は、画素基板３６０の積層構造の場合、絶縁膜３７４ｂの厚みを２０００Å以上５０００Å以下とすることが好ましい。液晶表示装置は、絶縁膜３７４ｂの厚みを上記範囲とすることでコントラスト比を高く維持することができる。つまり、画像が認識できる範囲を広くすることができ、液晶表示装置２の視野角を広くすることができる。また、黒が黒として見える視野角の範囲をより広くすることができる。
【００９９】
（適用例）
次に、図２８を参照して、実施形態で説明した表示装置１の適用例について説明する。図２８は、本実施形態に係る液晶表示装置を適用する電子機器の一例を示す図である。本実施形態に係る表示装置１は、カーナビゲーションシステム、テレビジョン装置、デジタルカメラ、ノート型パーソナルコンピュータ、携帯電話等の携帯端末装置あるいはビデオカメラなどのあらゆる分野の電子機器に適用することが可能である。言い換えると、本実施形態に係る表示装置１は、外部から入力された映像信号あるいは内部で生成した映像信号を、画像あるいは映像として表示するあらゆる分野の電子機器に適用することが可能である。電子機器は、液晶表示装置に映像信号を供給し、液晶表示装置の動作を制御する制御装置を備える。
【０１００】
図２８に示す電子機器は、本実施形態に係る表示装置１が適用されるカーナビゲーション装置である。表示装置１は、自動車の車内のダッシュボード４００に設置される。具体的にはダッシュボード４００の運転席４１１と助手席４１２の間に設置される。カーナビゲーション装置の表示装置１は、ナビゲーション表示、音楽操作画面の表示、又は、映画再生表示等に利用される。
【０１０１】
また、上述した内容により実施形態が限定されるものではない。また、上述した実施形態の構成要素には、当業者が容易に想到できるもの、実質的に同一のもの、いわゆる均等の範囲のものが含まれる。さらに、上述の実施形態の要旨を逸脱しない範囲で構成要素の種々の省略、置換及び変更を行うことができる。
【符号の説明】
【０１０２】
１  表示装置
２、１００ａ、２００、２３０、２５０、２７０  液晶表示装置
６  バックライト
１１  ガラス基板
１１ｇｒ、１１ｇｌ  額縁
２１  表示エリア部
２２Ａ  第１垂直ドライバ
２２Ｂ  第２垂直ドライバ
２４  走査線
２４ａ  ゲート
２５  信号線
２５ａ  ソース
２５ｂ  ドレイン
５０  第１基板  
５２  第２基板
５４  液晶層
５９  液晶
６０  画素基板
６２  第１配向膜
６４  ガラス基板
６６  カラーフィルタ
６７  第２配向膜
７１  透明基板
７２  画素電極
７３  開口
７４  絶縁層
７４ａ  絶縁膜（第１絶縁膜）
７４ｂ  絶縁膜（第２絶縁膜）
７４ｃ  絶縁膜（第３絶縁膜）
７６ａ  ブラックマトリクス
７６ｂ  開口部
９０  半導体層
９２  スルーホール
１０１、１０１ａ、２０１、２３１、２５１、２７１  液晶ユニット
１０２、１０２ａ、２０２、２３２、２５２、２７２  第１偏光板
１０４、１０４ａ、２０４、２３４、２５４、２７４  位相差板
１０６、１０６ａ、２０６、２３６、２５６、２７６  第２偏光板
１０８、１０８ａ、２０８、２３８、２５８、２７８  反射型偏光性フィルム
１０９、１０９ａ、２０９、２３９、２５９、２７９  輝度上昇フィルム  
１１１、１１１ａ、２１１、２４１、２６１、２８１  配向軸
１１２、１１６、１１２ａ、１１６ａ、２１２、２１６、２４２、２４６、２６２、２６６、２８２、２８６  吸収軸
１１４、１１４ａ、２１４、２４４、２６４、２８４  位相差軸
１１８、１１８ａ、２１８、２４８、２６８、２８８  透過軸
１１９、１１９ａ、２１９、２４９、２６９、２８９  ＢＥ軸
２３３、２７３  １／４波長板
２４３、２８３  延伸軸
ＬＣ  液晶素子
Ｔｒ  薄膜トランジスタ
ＣＯＭＬ  共通電極
Ｖｐｉｘ  画素
【図１】
2016051145.tif 000003
【図２】
2016051145.tif 000004
【図３】
2016051145.tif 000005
【図４】
2016051145.tif 000006
【図５】
2016051145.tif 000007
【図６】
2016051145.tif 000008
【図７】
2016051145.tif 000009
【図８】
2016051145.tif 000010
【図９】
2016051145.tif 000011
【図１０】
2016051145.tif 000012
【図１１】
2016051145.tif 000013
【図１２】
2016051145.tif 000014
【図１３】
2016051145.tif 000015
【図１４】
2016051145.tif 000016
【図１５】
2016051145.tif 000017
【図１６】
2016051145.tif 000018
【図１７】
2016051145.tif 000019
【図１８】
2016051145.tif 000020
【図１９】
2016051145.tif 000021
【図２０】
2016051145.tif 000022
【図２１】
2016051145.tif 000023
【図２７】
2016051145.tif 000024
【図２８】
2016051145.tif 000025
【図２２Ａ】
2016051145.tif 000026
【図２２Ｂ】
2016051145.tif 000027
【図２３Ａ】
2016051145.tif 000028
【図２３Ｂ】
2016051145.tif 000029
【図２４Ａ】
2016051145.tif 000030
【図２４Ｂ】
2016051145.tif 000031
【図２５Ａ】
2016051145.tif 000032
【図２５Ｂ】
2016051145.tif 000033
【図２６Ａ】
2016051145.tif 000034
【図２６Ｂ】
2016051145.tif 000035